(57)【要約】【課題】電槽間における電解液の移動に対するシール性を維持することのできる二次電池、及び、二次電池の製造方法を提供する。【解決手段】二次電池は、熱可塑性樹脂からなる樹脂ケース内に隣接する複数の電槽を区画する隔壁１２に、電槽内の極板群を電気的に接続させる上部１５Ｊ，１６Ｊが挿通する貫通孔１７を備える。二次電池において、上部１５Ｊ，１６Ｊは、貫通孔に挿入される接続突部１５Ａ，１６Ａと、接続突部１５Ａ，１６Ａの周囲において隔壁１２に対向するとともに、Ｏ−リング４０を隔壁１２との間に配置可能なリング収容部１５Ｂ，１６Ｂとを備え、隔壁１２を挟んで対向する２つの上部１５Ｊ，１６Ｊは、各接続突部１５Ａ，１６Ａを貫通孔１７内で電気的に接続させるとともに、一方のリング収容部１５ＢにのみＯ−リング４０が配置される。隔壁１２は、一体電槽の樹脂よりも硬化された硬化部分２１を備える。【選択図】図２
2018156821.tif 000002
【特許請求の範囲】
【請求項１】
熱可塑性樹脂からなる樹脂ケース内に隣接して設けられた複数の電槽を区画する隔壁と、前記電槽内に配置された極板群と、前記極板群に電気的に接続する接続部と、隣接する前記電槽内のそれぞれの前記接続部を電気的に接続可能にする前記隔壁に設けられた貫通孔とを備える二次電池であって、
前記接続部は、前記貫通孔に挿入される突出部と、前記突出部の周囲において前記隔壁に対向するとともに、弾性変形可能な無端状のシール部材を前記隔壁との間に配置可能なシール部材配置部とを備え、
前記隔壁を挟んで対向する２つの前記接続部は、各前記接続部の前記突出部を前記貫通孔内で電気的に接続させるとともに、一方の前記接続部の前記シール部材配置部にのみ前記シール部材が配置され、
前記隔壁は、前記シール部材が当接する部分の少なくとも一部に前記樹脂ケースの樹脂よりも硬化された硬化部分を備える
二次電池。
【請求項２】
前記硬化部分は、前記シール部材が当接する範囲よりも広い
請求項１に記載の二次電池。
【請求項３】
前記樹脂は、結晶性樹脂であり、
前記硬化部分は、前記結晶性樹脂の結晶化度が前記樹脂ケースの結晶化度よりも高い
請求項１又は２に記載の二次電池。
【請求項４】
前記硬化部分の硬さは、前記シール部材が当接する部分から離れることに応じて低くなる
請求項１〜３のいずれか一項に記載の二次電池。
【請求項５】
前記隔壁を挟んで対向する２つの前記接続部は、各前記突出部が同一形状であるとともに、各前記シール部材配置部が同一形状である
請求項１〜４のいずれか一項に記載の二次電池。
【請求項６】
樹脂ケース内に隣接して設けられた複数の電槽を区画する隔壁と、隣接する前記電槽内にそれぞれ配置された極板群を電気的に接続可能にするために前記隔壁に設けられている貫通孔とを備える二次電池を製造する二次電池の製造方法であって、
前記貫通孔に挿通される芯部と前記隔壁の前記貫通孔の周囲を挟むことができる一対の板部とを備える加熱部材で、前記貫通孔に前記芯部を挿通させつつ前記一対の板部で前記隔壁を挟むことによって前記加熱部材を前記隔壁に接触させる接触工程と、
前記加熱部材の温度を上昇させて前記貫通孔の近傍が溶融するまで加熱する加熱工程と、
前記上昇させた温度を自然冷却、又は、前記自然冷却よりも冷却時間が長くなるように冷却する冷却工程とを備える
二次電池の製造方法。
【請求項７】
前記接触工程では、前記一対の板部のうちの一方の板部に前記芯部が設けられており、前記隔壁を前記一対の板部で挟むとき、前記一方の板部の前記芯部の先端を前記貫通孔に挿通させるとともに、前記芯部の設けられていない他方の板部の平面に当接させる
請求項６に記載の二次電池の製造方法。
【請求項８】
前記冷却工程では、前記加熱部材の温度が低下するように加熱量を調整する
請求項６又は７に記載の二次電池の製造方法。
【発明の詳細な説明】
【技術分野】
【０００１】
本発明は、複数の単電池から構成される二次電池、及び、二次電池の製造方法に関する。
【背景技術】
【０００２】
従来、電気自動車やハイブリッド自動車等の車載用電源として、エネルギー密度の高さからニッケル水素二次電池等が用いられている。これらの二次電池は、所定の電力容量が得られるように、例えば、複数の単電池が樹脂製の角形のケースに一体に収容された電池モジュールが組み合わされて組電池として構成される（例えば、特許文献１）。
【０００３】
特許文献１に記載の電池モジュールでは、複数の直方体の電槽が樹脂製の隔壁を介して連接されるとともに、それら電槽内に発電要素が格納されて、隣接する発電要素同士が電気的に直列に接続されている。発電要素は正極板と負極板とを備え、これら極板の端部が集電板に接続されている。そして、電槽の隔壁に設けられた貫通穴に集電板の接続突部を配置することで、貫通穴を介して隣接する電槽の接続突部同士を接続させている。また、電解液の電槽間の移動を防ぐシール部材が各接続突部において接続突部の外周と貫通穴の外周との間に配置されている。
【先行技術文献】
【特許文献】
【０００４】
【特許文献１】特開２００７−１２３０５９号公報
【発明の概要】
【発明が解決しようとする課題】
【０００５】
ところで、二次電池において、電槽間における電解液の移動を防止する必要はあるものの、特許文献１に記載の技術のような各接続突部に配置される２つのシール部材は、それを１つだけにしたとしても、電槽を隣接させる単電池間に短絡を生じさせない程度の移動防止には充分機能する。しかしながら、特許文献１に記載の技術において、一方のシール部材を取り除いたとすると、残った他方のシール部材の押圧力によって隔壁が変形されてシール性が低下するおそれがある。
【０００６】
本発明は、このような実情に鑑みてなされたものであり、その目的は、電槽間における電解液の移動に対するシール性を維持することのできる二次電池、及び、二次電池の製造方法を提供することにある。
【課題を解決するための手段】
【０００７】
上記課題を解決する二次電池は、熱可塑性樹脂からなる樹脂ケース内に隣接して設けられた複数の電槽を区画する隔壁と、前記電槽内に配置された極板群と、前記極板群に電気的に接続する接続部と、隣接する前記電槽内のそれぞれの前記接続部を電気的に接続可能にする前記隔壁に設けられた貫通孔とを備える二次電池であって、前記接続部は、前記貫通孔に挿入される突出部と、前記突出部の周囲において前記隔壁に対向するとともに、弾性変形可能な無端状のシール部材を前記隔壁との間に配置可能なシール部材配置部とを備え、前記隔壁を挟んで対向する２つの前記接続部は、各前記接続部の前記突出部を前記貫通孔内で電気的に接続させるとともに、一方の前記接続部の前記シール部材配置部にのみ前記シール部材が配置され、前記隔壁は、前記シール部材が当接する部分の少なくとも一部に前記樹脂ケースの樹脂よりも硬化された硬化部分を備える。
【０００８】
このような構成によれば、貫通孔の周囲に設けるシール部材を１つとしても、シール部材が当接する部分における樹脂が変形し難いことから、シール部材の押圧力に起因する変形が抑制される。換言すると、一方の接続部はシール部材が隔壁の硬化部分を押圧し、他方の接続部はシール部材配置部が空間になることから、反対側に空間があったとしても隔壁の変形が抑制される。よって、電槽間における電解液に対するシール性を維持することができる。
【０００９】
また、シール部材を１つにすることができるので部品点数が削減される。
好ましい構成として、前記硬化部分は、前記シール部材が当接する範囲よりも広い。
このような構成によれば、シール部材の周囲についても硬化されていることから樹脂の変形がより抑制されるようになる。
【００１０】
好ましい構成として、前記樹脂は、結晶性樹脂であり、前記硬化部分は、前記結晶性樹脂の結晶化度が前記樹脂ケースの結晶化度よりも高い。
このような構成によれば、樹脂の結晶化度が高められた硬化部分をシール部材の周囲に設けることができる。なお、結晶化度は、溶融した樹脂の冷却速度が遅いほど高くなることから、硬化部分の硬さの調整も可能になる。
【００１１】
好ましい構成として、前記硬化部分の硬さは、前記シール部材が当接する部分から離れることに応じて低くなる。
このような構成によれば、シール部材からの押圧力が強い部分の硬さ、いわゆる剛性や耐クリープ性が高められるとともに、シール部材から離れて押圧力が弱まるに応じて剛性等が低下する一方で靭性の割合が高まるようになる。これにより、隔壁において貫通孔の周囲に適切な耐性を付与することができるようになる。
【００１２】
好ましい構成として、前記隔壁を挟んで対向する２つの前記接続部は、各前記突出部が同一形状であるとともに、各前記シール部材配置部が同一形状である。
このような構成によれば、２つの接続部に設けられている各突出部が同一形状であるとともに、各シール部材配置部が同一形状であるので、接続部の形成や突出部の溶接等による電気的接続が容易になる。
【００１３】
上記課題を解決する二次電池の製造方法は、樹脂ケース内に隣接して設けられた複数の電槽を区画する隔壁と、隣接する前記電槽内にそれぞれ配置された極板群を電気的に接続可能にするために前記隔壁に設けられている貫通孔とを備える二次電池を製造する二次電池の製造方法であって、前記貫通孔に挿通される芯部と前記隔壁の前記貫通孔の周囲を挟むことができる一対の板部とを備える加熱部材で、前記貫通孔に前記芯部を挿通させつつ前記一対の板部で前記隔壁を挟むことによって前記加熱部材を前記隔壁に接触させる接触工程と、前記加熱部材の温度を上昇させて前記貫通孔の近傍が溶融するまで加熱する加熱工程と、前記上昇させた温度を自然冷却、又は、前記自然冷却よりも冷却時間が長くなるように冷却する冷却工程とを備える。
【００１４】
このような方法によれば、膨張に耐えられる靭性を有する樹脂ケースにおいて、樹脂ケースの靭性は維持しつつ、樹脂ケースと一体成形されている隔壁について、貫通孔の周囲の剛性等を高めて変形に対する耐性を高めることができる。よって、電槽間における電解液に対するシール性を維持することができる。
【００１５】
好ましい方法として、前記接触工程では、前記一対の板部のうちの一方の板部に前記芯部が設けられており、前記隔壁を前記一対の板部で挟むとき、前記一方の板部の前記芯部の先端を前記貫通孔に挿通させるとともに、前記芯部の設けられていない他方の板部の平面に当接させる。
【００１６】
このような方法によれば、貫通孔を挿通した一方の板部の芯部の先端が、他方の板部の平面に当接されることにより、一対の板部の間で溶融した樹脂が貫通孔を塞ぐおそれがない。
【００１７】
好ましい方法として、前記冷却工程では、前記加熱部材の温度が低下するように加熱量を調整する。
このような方法によれば、加熱部材の加熱量を調整することで貫通孔の周辺の樹脂の冷却時間を自然冷却より長い時間にすることができる。
【発明の効果】
【００１８】
本発明によれば、電槽間における電解液の移動に対するシール性を維持することができる。
【図面の簡単な説明】
【００１９】
【図１】二次電池を具体化した一実施形態について、その概略構成を示す概略図。
【図２】同実施形態における接続部の拡大断面構造を示す断面図。
【図３】同実施形態における樹脂の結晶化度と時間との関係を示すグラフ。
【図４】同実施形態における樹脂の硬化処理の処理手順を示すフローチャート。
【図５】同実施形態における樹脂の硬化処理前の状態を示す図。
【図６】同実施形態における樹脂の硬化処理中の状態を示す図。
【図７】同実施形態における樹脂の硬化処理後の状態を示す図。
【発明を実施するための形態】
【００２０】
以下、本発明にかかる二次電池、及び、二次電池の製造方法を具体化した一実施形態について、図１〜図７を参照して説明する。こうした二次電池は、例えば、自動車の駆動用電源として用いられる。
【００２１】
図１に示すように、電池モジュールは、所要の電力容量を得るべく複数（例えば６個）の単電池１１を電気的に直列接続して構成される。電池モジュールは、複数の個別の直方体状からなる単電池１１を配列した構造となっている。単電池１１は、角形の収容部を構成する電槽１３の最も表面積の広い面（長側面）を縦に見てその側面にあたる短側面同士が互いに対向するように配列されている。
【００２２】
電池モジュールは、例えばニッケル水素二次電池からなる単電池１１がそれを構成する電槽１３の短側面同士を隔壁１２を介して複数連結したものが、樹脂ケースとしての角形の一体電槽１０に収容されている。また電池モジュールは、各電槽１３の上面開口が蓋体２０により一体に封止されている。各電槽１３内には、電池の構成部品として、正極板と負極板とがセパレータを介して積層された極板群１４とその両側に接合された接続部としての集電板１５，１６が例えばアルカリ性の電解液とともに収容されている。
【００２３】
極板群１４の正極板及び負極板は互いに反対側の側部に突出されることで正極板及び負極板のリード部１４ａ，１４ｂが構成され、これらリード部１４ａ，１４ｂの側端縁にそれぞれ集電板１５，１６が接合されている。集電板１５，１６は、その上部１５Ｊ，１６Ｊにリード部１４ａ，１４ｂの反対側に向けて突設されている突出部としての接続突部１５Ａ，１６Ａを備えている。接続突部１５Ａ，１６Ａは、隔壁１２の上部に形成されていて各電槽１３の接続に用いられる貫通孔１７に挿通されるとともに、貫通孔１７を介してスポット溶接により電気的に接続される。これにより、各々隣接する電槽１３を有する単電池１１が電気的に直列に接続される。
【００２４】
また、接続突部１５Ａ，１６Ａの周囲には、それぞれシール部材配置部としてのリング収容部１５Ｂ，１６Ｂがリード部１４ａ，１４ｂ側に向けて環状に突設されている。よって、リング収容部１５Ｂ，１６Ｂは、リード部１４ａ，１４ｂの反対側に隔壁１２に対向する凹状の環状空間１５Ｄ，１６Ｄをそれぞれ形成する。隔壁１２を挟んで対向する集電板１５，１６は、それらのうちの一方の集電板１５の環状空間１５Ｄにシール部材が配置され、他方の集電板１６の環状空間１６Ｄにはシール部材等が配置されない。つまり、一方の環状空間１５Ｄには、ゴムなどの弾性部材からなるシール部材としてのＯ−リング４０が配置されている。一方の環状空間１５Ｄに配置されたＯ−リング４０は、リング収容部１５Ｂのリード部１４ａの反対側の表面により貫通孔１７の周囲の隔壁１２の表面に押し付けられるとともに、その押圧力により、電槽１３内の空間と貫通孔１７との間における電解液の移動を遮断する。なお、ここでの電解液の遮断とは、隣接する電槽１３の単電池１１間に短絡を生じさせない程度の移動を防止することができる程度の遮断である。
【００２５】
また、図１において左側である、端部の電槽１３にあって外側に位置する貫通孔１９、すなわち一体電槽１０の端側壁１０ａ上方の貫通孔１９には負極の接続端子３０が装着されている。接続端子３０は、その電槽１３側に上述した接続突部１６Ａとは異なる上部の形状を有する集電板１６の上部の接続点１８がスポット溶接により接続される。また、図示しない右側の端部の電槽１３にあって外側に位置する貫通孔１９、すなわち一体電槽１０の端側壁１０ａ上方の貫通孔には正極の接続端子３０が装着されている。そして、接続端子３０は、その電槽１３側に集電板１５の上部がスポット溶接により接続される。このように一体電槽１０の両端の接続端子３０がそれぞれ集電板１５，１６に接続されることによって、直列接続された電槽１３、すなわち複数の単電池１１の総出力がこれら接続端子３０から取り出される。
【００２６】
図２を参照して、集電板１５，１６の上部１５Ｊ，１６Ｊの構成について詳述する。
集電板１５，１６は、隔壁１２に当接する平面部１５Ｈ，１６Ｈを備えている。集電板１５，１６の上部１５Ｊ，１６Ｊは、接続突部１５Ａ，１６Ａが平面部１５Ｈ，１６Ｈよりも隔壁１２の貫通孔１７に向けて突設されている。集電板１５，１６は、平面部１５Ｈが図において左側から隔壁１２の表面に押し付けられるとともに、平面部１６Ｈが図において右側から隔壁１２の表面に押し付けられている。これにより、各集電板１５，１６の接続突部１５Ａ，１６Ａはそれぞれ貫通孔１７の半分の深さまで該貫通孔１７内に挿入されて貫通孔１７の内部で接触するようになる。そして、集電板１５，１６は、２つの接続突部１５Ａ，１６Ａが溶接されることで各集電板１５，１６の平面部１５Ｈ，１６Ｈと隔壁１２の表面との当接が維持される。
【００２７】
また、接続突部１５Ａ，１６Ａは、その先端側が貫通孔１７に挿通可能な大きさに形成され、その基端側が貫通孔１７の内周より大きな大きさに形成されている。換言すると、接続突部１５Ａ，１６Ａは、貫通孔１７に侵入する先端側の外径が貫通孔１７の内径に嵌合する大きさに縮径されている。よって、２つの接続突部１５Ａ，１６Ａの先端側と基端側との間で貫通孔１７の内径側部を挟み込むことができる。本実施形態では、先端側と基端側との間に段差部が形成されており、当該段差部で貫通孔１７の外周部分を挟み込むことができるようになっている。
【００２８】
しかしながら図２に示すように、加工上の公差、加工精度等によって、２つの接続突部１５Ａ，１６Ａで貫通孔１７の外周部分を挟み込むことができないこともある。例えば、２つの接続突部１５Ａ，１６Ａで挟み込むことができる大きさよりも貫通孔１７の内径が大きければ、貫通孔１７の少なくとも一部が、図２の例では孔の上部が２つの接続突部１５Ａ，１６Ａに挟み込まれない。また例えば、貫通孔１７が隔壁１２の表面に対して傾斜していたとしても貫通孔１７の少なくとも一部が２つの接続突部１５Ａ，１６Ａに挟み込まれない。
【００２９】
リング収容部１５Ｂ，１６Ｂは、貫通孔１７の周囲に環状の環状空間１５Ｄ，１６Ｄを形成する。リング収容部１５Ｂ，１６Ｂは、環状の内周側が貫通孔１７に挿入される接続突部１５Ａ，１６Ａにつながり、外周側が集電板１５，１６の平面部１５Ｈ，１６Ｈにつながる。よって、リング収容部１５Ｂ，１６Ｂは、内周側の少なくとも一部が貫通孔１７で隔壁１２の表面に当接し、外周側の少なくとも一部が平面部１５Ｈ，１６Ｈによって隔壁１２の表面に当接することで、隔壁１２の表面との間に上述した環状空間１５Ｄ，１６Ｄを形成する。
【００３０】
図２に示すように、本実施形態では、図において左側の環状空間１５Ｄには、Ｏ−リング４０が配置され、図において右側の環状空間１６Ｄは空間のままである。
Ｏ−リング４０は、公知のゴム材料などからなる環状かつ無端状のシール部材である。Ｏ−リング４０は、その厚みがリング収容部１５Ｂの深さよりも厚く形成されている。よって、リング収容部１５Ｂに配置されたＯ−リング４０は、各集電板１５の平面部１５Ｈよりも隔壁１２の表面の方向に突出する。そのため集電板１５が隔壁１２の表面に当接されると、Ｏ−リング４０は、リング収容部１５Ｂの内面と隔壁１２の表面との間に挟まれることにより弾性変形される。弾性変形されたＯ−リング４０は、リング収容部１５Ｂの内面と隔壁１２の表面との間に反力を、いわゆる弾性力を付与し、集電板１５と隔壁１２との間に必要なシール性を確保する。これによって、隔壁１２の貫通孔１７には、Ｏ−リング４０によって電槽１３を隣接させる単電池１１間に短絡を生じさせない程度の電解液の移動が防止される。なお、電池モジュールは、電解液の移動による短絡が生じないので、電解液が配置されない貫通孔１７よりも上方に電槽１３間の気体移動を許容する連通孔が設けられていたとしてもよい。
【００３１】
一方、環状空間１５ＤのＯ−リング４０が当接する隔壁１２において、環状空間１６Ｄ側には空間が確保されている。このため、隔壁１２は、Ｏ−リング４０から図において右方向への反力が付与され続ける一方、環状空間１６Ｄから図において左方向への力は付与されない。つまり、隔壁１２の貫通孔１７の周辺は環状空間１６Ｄの方向に一方的に押されていることになる。このとき、図２において貫通孔１７の下側１７ｂは、接続突部１６Ａの先端側と基端側とに係合する。よって、隔壁１２が環状空間１６Ｄを挟む２点である接続突部１６Ａと集電板１６の平面部１６Ｈとで支持、いわゆる２点支持され、Ｏ−リング４０からの押圧力も２点支持で受け止められるようになる。しかしながら、図２において貫通孔１７の上側１７ａは、接続突部１６Ａの先端側と基端側とに係合しない。すなわち、隔壁１２は、接続突部１６Ａには支持されず、集電板１６の平面部１６Ｈのみで支持される、いわゆる片持ち支持となる。このため、隔壁１２は、貫通孔１７の上側１７ａがＯ−リング４０からの押圧力によって環状空間１６Ｄの方向へ押し曲げられて変形するおそれがある。
【００３２】
隔壁１２は、一体電槽１０として一体成形されている。一体電槽１０は、熱可塑性樹脂としての結晶性樹脂からなり、射出成形により形成されている。結晶性樹脂としては、高密度ポリエチレン（ＨＤＰＥ）系の樹脂、低密度ポリエチレン（ＬＤＰＥ）系の樹脂、ポリプロピレン（ＰＰ）系の樹脂が挙げられる。
【００３３】
一体電槽１０は、その長側面は二次電池の充放電反応等に伴う内圧上昇に起因する膨張に対応可能な柔軟性、いわゆる靱性が必要であるため、靱性が確保されるように射出成形された後、迅速な冷却により固化される。
【００３４】
図３のグラフＬ１は、冷却時間（固化するまでの時間）と結晶化度との関係を示す。詳述すると、結晶性樹脂は、冷却時間が短いほど結晶化度が低く、冷却時間が長いほど結晶化度が高くなる。また、結晶化度は、低いことで靱性が高くなる反面、剛性や耐クリープ性は低くなる、逆に高くなることで靱性が低くなる反面、剛性や耐クリープ性が高くなる。
【００３５】
そこで、一体電槽１０は、靱性が高く維持されるように、換言すると、剛性等が低く維持されるように、射出成形後に迅速に冷却され、例えば、結晶性樹脂の結晶化度が低い状態Ｐ１（図３）に維持される。すなわち、一体電槽１０と同時に成形される隔壁１２にあっても樹脂ケースと同様の高い靱性と低い剛性等とを有する。ところで、靱性は変形に対して柔軟であることから、Ｏ−リング４０等から継続的に付与される押圧力に応じて曲がるように変形するおそれがある。上述のように、貫通孔１７の周囲は、Ｏ−リング４０から継続的に反力が付与されていることから、片持ち支持となっている貫通孔１７の上側１７ａは、Ｏ−リング４０とは反対の方向に曲がるおそれがある。Ｏ−リング４０は、リング収容部１５Ｂと隔壁１２の表面との間のシール性を、リング収容部１５Ｂと隔壁１２の表面とに接している部分の面圧により確保している。面圧は、Ｏ−リング４０が大きく弾性変形されることに応じて高く維持されることから、隔壁１２の表面がＯ−リング４０に押圧されて変形するとＯ−リング４０の弾性変形が小さくなって面圧が低下し、シール性も低下するおそれがある。
【００３６】
そこで、本実施形態は、貫通孔１７の周囲に硬化された硬化部分２１を設けた。硬化部分２１は、一体電槽１０の形成時に比較して、隔壁１２の貫通孔１７の周囲の剛性等が高く、靱性が低い状態であることから、貫通孔１７の上側１７ａのような片持ち支持部分であってもシール性の低下を抑制することができる。すなわち、上述したように、一体電槽１０は、その長側面及び隔壁１２ともに、靱性や柔軟性を有して形成されているが、これに対して隔壁１２の貫通孔１７の周囲に硬化部分２１を形成した。逆に、一体電槽１０は、その長側面が硬化されないことにより、長側面には成形時に付与された靱性や柔軟性が維持される。これにより、一体電槽１０の長側面は、二次電池の充放電反応等に伴う内圧上昇に起因する膨張等の変形に対応可能である。
【００３７】
図２に示すように、硬化部分２１は、隔壁１２の貫通孔１７の周囲に、貫通孔１７の中心を中心Ｐ０とする円形範囲として設けられている。円形範囲は、貫通孔１７の上側１７ａにおいて集電板１６の上端部である端部Ｐ２ａを半径とする近傍範囲２２として設けられる。なお、貫通孔１７の下側１７ｂにおける対応位置Ｐ２ｂの中心Ｐ０からの距離は、端部Ｐ２ａの中心Ｐ０からの距離と同じ距離である。隔壁１２は、片持ち支持部分の支点である環状空間１６Ｄの外周部分Ｐ１ａに当接する部分がＯ−リング４０からの押圧力によって湾曲することから、この外周部分Ｐ１ａを含む範囲を硬化することで湾曲が抑制される。
【００３８】
つまり、隔壁１２は、片持ち支持部分において、少なくとも、湾曲の支点になる外周部分Ｐ１ａに当接する部分が硬化されることによっても湾曲が抑制される。よって円形範囲は、少なくとも、貫通孔１７の上側１７ａにおいて環状空間１６Ｄの外周部分Ｐ１ａを過ぎた位置を半径とすることができる。ここで、硬化部分２１に外周部分Ｐ１ａから反中心Ｐ０方向に０．２ｍｍ以上の長さがあれば、Ｏ−リング４０からの押圧力に起因する隔壁１２の湾曲が好適に抑制される。通常、外周部分Ｐ１ａと端部Ｐ２ａとの間の距離は０．２ｍｍ以上あることから、隔壁１２を中心Ｐ０側から端部Ｐ２ａまで硬化させれば該隔壁１２の湾曲が好適に抑えられる。なお、貫通孔１７の下側１７ｂにおいて環状空間１６Ｄの外周部分Ｐ１ｂの中心Ｐ０からの距離は、外周部分Ｐ１ａの中心Ｐ０からの距離と同じ距離である。
【００３９】
すなわち、貫通孔１７に近い近傍範囲２２は、環状空間１６Ｄの外周部分Ｐ１ａ，Ｐ１ｂを含む範囲に一体電槽１０に比べて剛性等が高く靱性が低い硬化部分２１が設けられる。これにより、Ｏ−リング４０の押圧力による隔壁１２の変形が抑制されることになり、貫通孔１７の周囲に、特に、隔壁１２の片持ち支持部分が生じたとしてもシール性の低下が抑制されるようになる。
【００４０】
図４〜図７を参照して、隔壁１２に硬化部分２１を備える二次電池の製造方法について説明する。
まず、図４を参照して、二次電池の製造方法の概要について説明する。ここでは二次電池の製造工程のうち、特に、一体電槽１０に極板群１４の配置が行われる工程について説明する。二次電池の製造工程は、二次電池の製造装置１００（図５参照）によって各種処理が制御される。二次電池の製造装置１００は、コンピュータ等の演算装置、加熱部材５０、加熱部材５０を移動させる駆動装置や加熱部材５０の温度を上昇させる加熱装置等を含み構成されている。
【００４１】
図４に示すように、二次電池の製造方法が開始されると、射出成形された電池モジュールの一体電槽１０が処理位置に運搬される電槽運搬処理が行われる（ステップＳ１０）。電槽運搬処理は、図示しない搬送装置によって行われる。
【００４２】
次に、二次電池の製造装置１００は、加熱部材５０を隔壁１２の貫通孔１７に向けて移動させるとともに、隔壁１２の貫通孔１７とその周辺に接触させる処理である熱板接触処理を行う（接触工程：ステップＳ１１）。続いて、二次電池の製造装置１００は、加熱部材５０を加熱する加熱処理を行う（加熱工程：ステップＳ１２）とともに、加熱処理が終了すると、加熱部材を冷却する熱板冷却処理を行う（冷却工程：ステップＳ１３）。それから、二次電池の製造装置１００は、加熱部材５０を隔壁１２から離脱させる熱板除去処理を行う（ステップＳ１４）。
【００４３】
その後、二次電池の製造装置１００は、極板群挿入処理を行う（ステップＳ１５）とともに、隣接する電槽１３に配置された極板群１４の集電板１５，１６同士をスポット溶接により電気的に接続させる極板群間溶接処理を行う（ステップＳ１６）。そして、一体電槽１０への極板群１４の配置が終了する。
【００４４】
続いて、図５〜図７を参照して熱板接触処理（ステップＳ１１）から熱板除去処理（ステップＳ１４）間での処理について詳述する。
図５に示すように、加熱部材５０は、隔壁１２の貫通孔１７に挿通される芯部５２と隔壁１２の貫通孔１７の周囲を挟むことのできる一対の板部５１，５３とを備える。硬化部分２１は、隔壁１２の貫通孔１７の周囲に貫通孔１７の中心Ｐ０を中心とする円形範囲として設けられることから、一対の板部５１，５３は芯部５２を中心とした円形とすることができる。また、板部５１，５３は円形であることから、それ自身の加熱や、２つの板部５１，５３での挟み込み等で湾曲したり、歪んだりするおそれが抑制される。また、２つの板部５１，５３が円形であれば、隔壁１２をより均等に加熱することもできる。また、２つの板部５１，５３が円形であれば、２つの板部５１，５３の作製も容易である。
【００４５】
そして、図６に示すように、熱板接触処理（ステップＳ１１）が開始されると、加熱部材５０は、芯部５２を隔壁１２の貫通孔１７に挿通可能な位置に板部５１が配置されるとともに、板部５１に隔壁１２を挟んで対向する位置に板部５３が配置される。そして、加熱部材５０は、一対の板部５１，５３の間隔を狭めることで、隔壁１２の貫通孔１７に芯部５２を挿通させつつ、一対の板部５１，５３で隔壁１２を挟むようにする。このとき、貫通孔１７を挿通した一方の板部５１の芯部５２の先端は、他方の板部５３の平面に当接する。つまり、芯部５２が貫通孔１７の内周に接触し、一対の板部５１，５３が隔壁１２の両面に接触することで加熱部材５０が隔壁１２に接触する。
【００４６】
加熱部材５０が隔壁１２に接触することに続いて、加熱処理（ステップＳ１２）が開始される。加熱処理では、加熱部材５０の温度を上昇させて貫通孔１７の周囲を溶融させる。加熱部材５０は、電熱器、電磁波照射、レーザ照射等の周知の技術で温度が上昇される。加熱部材５０は、一対の板部５１，５３の外周よりも内側及び芯部５２近傍の樹脂を溶融させるように、その一方で、一対の板部５１，５３の外周近傍は溶融させないように隔壁１２を加熱する。例えば、加熱部材５０は、一対の板部５１，５３の外周部側が中心部よりも低温であると好ましい。一対の板部５１，５３の外周部に対応する隔壁１２を溶融させないことにより、樹脂流出や隔壁１２の変形などが抑制される。加熱部材５０は、板部５１，５３の中心部や外周部のうちの１箇所又は複数箇所に温度センサーが設けられて温度が監視されることで、中心部を溶融させ外周部を溶融させないように加熱することができる。また、加熱部材５０は、加熱対象の隔壁１２について、中心部を溶融させ外周部を溶融させないようになる時間を実験や理論的等により予め設定し、この設定した時間だけ加熱するようにしてもよい。
【００４７】
隔壁１２の樹脂が溶融するまで加熱されたことに続いて、熱板冷却処理（ステップＳ１３）が開始される。熱板冷却処理では、結晶性樹脂の結晶化度が高められるように溶融させた樹脂を冷却する。このとき、少なくとも一体電槽１０が成形されたときの冷却時間よりも長い冷却時間で冷却することが好ましい。ここでの冷却は、自然冷却でもよいし、自然冷却よりも冷却時間が長くなるように冷却してもよい。図３のグラフＬ１に示すように、樹脂の結晶化度は、溶融している樹脂が固化するまでに要する時間の長さに応じて高くなる。よって、隔壁１２の貫通孔１７の周囲に必要な剛性等に対応する結晶化度になるように冷却時間を設定する。例えば、加熱部材５０は熱容量を有することから、隔壁１２を一対の板部５１，５３で挟んだまま自然冷却することで冷却時間を長く確保してもよい。また、加熱部材５０の発熱量を減少させていくことで隔壁１２に対する加熱量を減らしていき自然冷却よりも長い冷却時間を確保するようにしてもよい。
【００４８】
図７に示すように、隔壁１２の樹脂が冷却されたことに続いて、熱板除去処理（ステップＳ１４）が開始される。すなわち、加熱部材５０は、隔壁１２に接触していた芯部５２と一対の板部５１，５３とが、一対の板部５１，５３の間隔が広げられることで、隔壁１２の表面及び隔壁１２の貫通孔１７から離間する。これにより、熱板除去処理が終了する。
【００４９】
ここで、図７を参照して、硬化処理された隔壁１２の結晶化度について説明する。なお、説明の便宜上、以下では、結晶化度が３段階に相違する場合について説明するが、結晶化度は固化までに要する時間に応じて４段階以上に相違してもよいし、又は無段階に相違してもよい。
【００５０】
まず、加熱部材５０は、中心には芯部５２もあることから熱容量が大きく冷却に時間を要する。一方、一対の板部５１，５３の周辺部は熱容量が小さいとともに、外周は面積が大きいから放熱速度が速く冷却に要する時間が短くなる。さらに板部５１，５３の外周付近は溶融しないため、一体電槽１０が射出成形されたときの樹脂の結晶化度が維持されている。
【００５１】
よって、このように加熱処理された隔壁１２の貫通孔１７の周辺について樹脂の結晶化度は、貫通孔１７の近傍から離れることに応じて低くなる。換言すると、貫通孔１７の近傍にあるシール部材が当接する部分から離れることに応じて低くなる。例えば、貫通孔１７を内周とする環状の範囲からなる近傍範囲２２は、冷却時間が長くなるので結晶化度が高い。すなわち、一体電槽１０において硬化部分２１となる。また、近傍範囲２２の外周から一対の板部５１，５３の外周までの間の範囲からなる中間範囲２３は、放熱しやすいことからその冷却時間が近傍範囲２２の冷却時間よりも短くなって結晶化度が近傍範囲２２よりも低い一方、加熱処理されていない隔壁１２のその他の部分よりも高い。すなわち、一体電槽１０において硬化部分２１となる。そして、こうした硬化部分２１であればＯ−リング４０からの押圧力に対する変形が抑制されるようになる。
【００５２】
以上説明したように、本実施形態の二次電池、及び二次電池の製造方法によれば、以下に記載するような効果が得られるようになる。
（１）貫通孔１７の周囲に設けるＯ−リング４０を１つとしても、Ｏ−リング４０が当接する部分における樹脂が変形し難いことから、Ｏ−リング４０の押圧力に起因する変形が抑制される。換言すると、一方の集電板１５の上部１５ＪはＯ−リング４０が隔壁１２の硬化部分２１を押圧し、他方の集電板１６の上部１６Ｊはリング収容部１６Ｂが空間になるが、Ｏ−リング４０の隔壁１２を挟んだ反対側に空間があったとしても隔壁１２の変形が抑制される。よって、電槽１３間における電解液に対するシール性を維持することができる。
【００５３】
また、Ｏ−リング４０を１つにすることができるので部品点数が削減される。
（２）Ｏ−リング４０の周囲についても硬化されていることから樹脂の変形がより抑制されるようになる。
【００５４】
（３）樹脂の結晶化度が高められた硬化部分２１をＯ−リング４０の周囲に設けることができる。なお、結晶化度は、溶融した樹脂の冷却速度が遅いほど高くなることから、硬化部分２１の硬さの調整も可能になる。
【００５５】
（４）Ｏ−リング４０からの押圧力が強い部分の硬さ、いわゆる剛性や耐クリープ性が高められるとともに、Ｏ−リング４０から離れて押圧力が弱まるに応じて剛性等が低下する一方で靭性の割合が高まるようになる。これにより、隔壁１２において貫通孔１７の周囲に適切な耐性を付与することができるようになる。
【００５６】
（５）２つの集電板１５、１６の上部１５Ｊ、１６Ｊに設けられている各接続突部１５Ａ，１６Ａが同一形状であるとともに、各リング収容部１５Ｂ，１６Ｂが同一形状であるので、集電板１５、１６の上部１５Ｊ、１６Ｊの形成や接続突部１５Ａ，１６Ａの溶接等による電気的接続が容易になる。
【００５７】
（６）膨張に耐えられる靭性を有する一体電槽１０において、一体電槽１０の靭性は維持しつつ、一体電槽１０と一体成形されている隔壁１２について、貫通孔１７の周囲の剛性等を高めて変形に対する耐性を高めることができる。よって、電槽１３間における電解液に対するシール性を維持することができる。
【００５８】
（７）貫通孔１７を挿通した一方の板部５１の芯部５２の先端が、他方の板部５３の平面に当接されることにより、一対の板部５１，５３の間で溶融した樹脂が貫通孔１７を塞ぐおそれがない。
【００５９】
（８）加熱部材５０の加熱量を調整することで貫通孔１７の周辺の樹脂の冷却時間を自然冷却より長い時間にすることができる。
（その他の実施形態）
なお、上記実施形態は以下の形態にて実施することもできる。
【００６０】
・上記実施形態では、電池モジュールが６個の単電池１１から構成されたが、６個以外の複数個の単電池から構成されていてもよい。
・上記実施形態では、接続突部１５Ａ，１６Ａがスポット溶接により電気的に接続される場合について例示した。しかしこれに限らず、対向する２つの接続突部が電気的に接続されるのであれば、アーク溶接、レーザビーム溶接、電子ビーム溶接等のスポット溶接以外の溶接技術によって電気的に接続させてもよい。
【００６１】
・上記実施形態では、加熱処理する部分に貫通孔１７がある場合について例示した。しかしこれに限らず、貫通孔を加熱処理後に形成するのであれば、加熱処理時に貫通孔はなくてもよく、このとき加熱部材としても芯部が不要である。
【００６２】
・上記実施形態では、樹脂を溶融させる場合について例示した。しかしこれに限らず、形状が維持される範囲の加熱で硬化部分２１を形成することができるのであれば、樹脂が溶融しなくてもよい。また、この場合、芯部はあってもよいし、なくてもよい。
【００６３】
・上記実施形態では、集電板１５，１６の上部１５Ｊ，１６Ｊが同様の形状である場合について例示した。しかしこれに限らず、隔壁を挟んで対向する上部の形状が異なる形状であってもよい。例えば、一方にはリング収容部を設け、他方にはリング収容部を設けなくてもよい。例えば、一方のリング収容部よりも他方の上部はその長さが短くてもよい。
【００６４】
・上記実施形態では、一対の板部５１，５３を芯部５２を中心とする円形とした。しかしこれに限らず、一対の板部は三角形や、矩形状、その他の多角形状、楕円等であってもよい。例えば、隔壁１２が縦長形状であることから、一対の板部としては、隔壁１２の長辺に沿う硬化部分の上下方向の長さを隔壁１２の短辺の幅よりも長くするときには円形以外の楕円等の形状になる。
【００６５】
また、平面が芯部に対して偏心していたり、非対称であったりしてもよい。
また、一対の板部を構成する２つの板部の形状が相違していてもよい。
・硬化部分２１は、貫通孔１７の上側１７ａの方向においては、最長で隔壁１２の上端位置Ｐ３ａまでを含むことができる。
【００６６】
このとき例えば、外周部分Ｐ１ａから端部Ｐ２ａまでの距離に対して、外周部分Ｐ１ａから上端位置Ｐ３ａまでの距離は２０倍程度とすることができる。よって、外周部分Ｐ１ａから端部Ｐ２ａまでの距離を０．３ｍｍ、外周部分Ｐ１ａから上端位置Ｐ３ａまでの距離を６ｍｍとすることができる。このとき、上側と下側とを同じ長さにすれば、中心Ｐ０に対して熱板の上下方向の長さを均等にできるので好ましい。
【００６７】
また、貫通孔１７の下側１７ｂの方向においては、最長で隔壁１２の下端位置Ｐ３ｂまでを含むことができる。
・上記実施形態では、硬化部分２１が円形範囲である場合について例示した。しかしこれに限らず、硬化部分が円形以外の範囲であってもよい。硬化部分を近傍範囲２２よりも広くすることができるのであれば、硬化部分の形状が三角形や、矩形状、その他の多角形状、楕円等であってもよい。
【００６８】
・上記実施形態では、硬化部分２１が円形範囲である場合について例示した。しかしこれに限らず、硬化部分は、隔壁が２点支持される部分については無い、又は小さい部分である一方、片持ち支持される部分については環状空間の外周に当接する部分まであればよい。例えば、硬化部分が貫通孔を囲まず、貫通孔の周囲の一部分にあってもよい。
【００６９】
・上記実施形態では、硬化部分２１を隔壁１２の貫通孔１７の周囲にあって、環状空間１６Ｄの外周部分Ｐ１ａ，Ｐ１ｂまでか、それよりも広い部分まで設けた場合について例示した。しかしこれに限らず、硬化部分２１が隔壁１２の貫通孔１７の周囲にあるのであれば、環状空間１６Ｄの外周部分Ｐ１ａ，Ｐ１ｂよりも内側の部分のみにあってもよい。例えば、環状空間１６Ｄの外周部分Ｐ１ａ，Ｐ１ｂよりも内側の部分に硬化部分が設けられたとしても、当該硬化部分によって隔壁の変形が抑制される。
【００７０】
・上記実施形態では、二次電池がニッケル水素二次電池である場合について例示したが、これに限らず、二次電池は、電解液を利用する二次電池であればよく、こうした二次電池としては、例えば、ニッケルカドミウム二次電池が挙げられる。
【００７１】
・上記実施形態では、二次電池は自動車の電源として用いられる場合について例示した。しかしこれに限らず、二次電池は、電源として用いられるものであれば、各種の移動体や固定体など自動車以外の電源として用いられてもよい。
【符号の説明】
【００７２】
１０…一体電槽、１０ａ…端側壁、１１…単電池、１２…隔壁、１３…電槽、１４…極板群、１４ａ，１４ｂ…リード部、１５…集電板、１５Ａ…接続突部、１５Ｂ…リング収容部、１５Ｄ…環状空間、１５Ｈ…平面部、１５Ｊ…上部、１６…集電板、１６Ａ…接続突部、１６Ｂ…リング収容部、１６Ｄ…環状空間、１６Ｈ…平面部、１６Ｊ…上部、１７…貫通孔、１８…接続点、１９…貫通孔、２０…蓋体、２１…硬化部分、２２…近傍範囲、２３…中間範囲、３０…接続端子、５０…加熱部材、５１…板部、５２…芯部、５３…板部、１００…製造装置。
【図１】
2018156821.tif 000003
【図２】
2018156821.tif 000004
【図３】
2018156821.tif 000005
【図４】
2018156821.tif 000006
【図５】
2018156821.tif 000007
【図６】
2018156821.tif 000008
【図７】
2018156821.tif 000009